(57)【特許請求の範囲】
【請求項１】
商用交流電源と負荷とに接続されるトランスと、停電時にスイッチング素子をオン・オフ駆動してバッテリに蓄えられた直流電力を交流電力に変換し前記トランスを介して前記負荷に電力を供給するインバータ回路と、を設けた無停電電源供給器において、
前記スイッチング素子と前記負荷との間には前記トランスに溜まった磁気を消磁するサージ吸収回路を設け、
前記インバータ回路により前記負荷へ電力を出力する前の期間であって、前記インバータ回路を作動させることなく前記サージ吸収回路を作動させる消磁期間と、
前記消磁期間の後で、通常時の前記負荷へ供給される周波数に相当する定格周波数にて前記インバータ回路を作動させる前であって、前記定格周波数よりも高い周波数にて前記インバータ回路を作動させるとともに前記サージ吸収回路を作動させる高周波作動期間と、を備えたことを特徴とする無停電電源供給器。
【請求項２】
前記サージ吸収回路は、前記スイッチング素子がオンしている期間には作動を停止させ、前記スイッチング素子がオフしている期間には作動を行い前記トランスに溜まった磁気を消磁することを特徴とする請求項１記載の無停電電源供給器。
【請求項３】
商用交流電源と接続されるトランスは、前記商用交流電源と接続される一次巻線と、バッテリに充電するための充電巻線と、スイッチング素子とセンタータップ方式で接続されるインバータ巻線と、負荷に電力を供給する出力巻線とを設け、前記一次巻線と前記商用交流電源との間に接続される逆流防止リレーと、停電時に前記スイッチング素子をオン・オフ駆動して前記バッテリに蓄えられた直流電力を交流電力に変換するインバータ回路とを設け、当該インバータ回路により出力されたインバータ出力にて前記負荷へ電力を供給する無停電電源供給器において、
前記スイッチング素子と前記インバータ巻線との間には、前記スイッチング素子がオンしている期間に作動を停止し、前記スイッチング素子がオフしている期間に作動を行い前記トランスに溜まった磁気を消磁するサージ吸収回路を設け、
前記逆流防止リレーにより前記一次巻線と前記商用交流電源との間が遮断された後、前記インバータ回路により前記負荷へ電力を出力する前の期間であって、前記インバータ回路を作動させることなく前記サージ吸収回路を作動させる消磁期間と、
前記前記消磁期間の後で、通常時の前記負荷へ供給される周波数に相当する定格周波数にて前記インバータ回路を作動させる前であって、前記定格周波数よりも高い周波数にて前記インバータ回路を作動させるとともに前記サージ吸収回路を作動させる高周波作動期間と、を備えたことを特徴とする無停電電源供給器。
【発明の詳細な説明】
【技術分野】
【０００１】
本発明は、通常時には商用交流電源からの入力をトランスを介して負荷に電力を供給し、停電等の異常時には、切り替えられたバッテリ等の直流電源からインバータによって交流電源に変換した出力を負荷に供給するための制御回路を備えた無停電電源供給器に関するものである。
【背景技術】
【０００２】
従来から、例えばＣＡＴＶの中継器の増幅器、パーソナルコンピュータやFA機器等のシステムにおいて、その稼動中に商用交流電源が不測の停電又は何らかの原因により商用交流電源の供給不足や停止に起因する電圧の異常低下が発生し上記システムの作動停止をするような事態を防止するために無停電電源供給器が使用されている。
【０００３】
図４にその一例を示す。この無停電電源供給器１００は、商用交流電源１と接続されるトランス５には一次巻線Ｎ１と、充電巻線Ｎ４と、出力巻線Ｎ２とインバータ巻線Ｎ３が設けられている。通常時には、商用交流電源１から入力された交流電源を、トランス５の一次巻線Ｎ１、出力巻線Ｎ２の巻数に比して変換し、その変換した電力を負荷２に供給している。また、商用交流電源１から入力された交流電源をトランス５の一次巻線Ｎ１と充電巻線Ｎ４の巻数に比した電力に変換し、充電回路１０の制御により直流電源に変換されバッテリ１１に蓄電している。
【０００４】
そして、いざ停電等の異常時には、リレーＲＹを切換え、インバータ回路３０によってバッテリ１１に蓄積された直流電源をスイッチング素子ＦＥＴ（ＦＥＴ１，ＦＥＴ２）により生成したインバータ出力によって、トランス５のインバータ巻線Ｎ３と出力巻線Ｎ２の巻数に比して変換した電力を負荷２に供給している。
【０００５】
このようにして無停電電源供給器１００では、停電発生時には、電源系統の切り替えが行われるのだが、切り替えられた直後には、停電発生時の商用交流電源１の状態に起因してトランス５に消磁しきれない磁気が溜まり、その磁気により負荷２又はインバータ回路３０に対し予期できない大きな電流が流れることが問題となっていた。そのために従来からサージ吸収回路５０を設けてトランス５の磁気を吸収するなどの様々な対策が提案されている（例えば、特許文献１、特許文献２、特許文献３）。
【特許文献１】特開２００１−２５１７８５号公報（図１）
【特許文献２】特開２０００−３２４７２０号公報（図１）
【特許文献３】特許第２６５５１５１号公報（図１）
【発明の開示】
【発明が解決しようとする課題】
【０００６】
しかしながら、機器の増設等による負荷２の容量アップに起因しトランス５自体の容量も大きくせざるを得なく、これらの対策だけではトランス５の磁気が消磁しきれない状況にあった。その結果、停電時のインバータ制御の開始直後にはトランス５の磁気が消磁しきれなく、過大な電流が流れて正常なインバータ出力を供給できなくなるばかりか、最悪の場合はインバータ回路３０を破損する問題が発生し兼ねない状況にあった。
【０００７】
そこで、本発明は上記課題を解決するべくなされたものであって、電源系統の切り替え時において、トランスに溜まった磁気に起因して発生する過大な電流による障害を最少に抑制した無停電電源供給器を提供することを目的としている。
【課題を解決するための手段】
【０００８】
上記課題を解決するために、請求項１記載の無停電電源供給器は、商用交流電源と負荷とに接続されるトランスと、停電時にスイッチング素子をオン・オフ駆動してバッテリに蓄えられた直流電力を交流電力に変換し前記トランスを介して前記負荷に電力を供給するインバータ回路と、を設けた無停電電源供給器において、前記スイッチング素子と前記負荷との間には前記トランスに溜まった磁気を消磁するサージ吸収回路を設け、前記インバータ回路により前記負荷へ電力を出力する前の期間であって、前記インバータ回路を作動させることなく前記サージ吸収回路を作動させる消磁期間と、前記消磁期間の後で、通常時の前記負荷へ供給される周波数に相当する定格周波数にて前記インバータ回路を作動させる前であって、前記定格周波数よりも高い周波数にて前記インバータ回路を作動させるとともに前記サージ吸収回路を作動させる高周波作動期間と、を備えたことを特徴とする。
【０００９】
上記課題を解決するために、請求項２記載の無停電電源供給器は、請求項１記載の無停電電源供給器に加え、前記サージ吸収回路は、前記スイッチング素子がオンしている期間には作動を停止させ、前記スイッチング素子がオフしている期間には作動を行い前記トランスに溜まった磁気を消磁することを特徴とする。
【００１０】
上記課題を解決するために、請求項３記載の無停電電源供給器は、商用交流電源と接続されるトランスは、前記商用交流電源と接続される一次巻線と、バッテリに充電するための充電巻線と、スイッチング素子とセンタータップ方式で接続されるインバータ巻線と、負荷に電力を供給する出力巻線とを設け、前記一次巻線と前記商用交流電源との間に接続される逆流防止リレーと、停電時に前記スイッチング素子をオン・オフ駆動して前記バッテリに蓄えられた直流電力を交流電力に変換するインバータ回路とを設け、当該インバータ回路により出力されたインバータ出力にて前記負荷へ電力を供給する無停電電源供給器において、前記スイッチング素子と前記インバータ巻線との間には、前記スイッチング素子がオンしている期間に作動を停止し、前記スイッチング素子がオフしている期間に作動を行い前記トランスに溜まった磁気を消磁するサージ吸収回路を設け、前記逆流防止リレーにより前記一次巻線と前記商用交流電源との間が遮断された後、前記インバータ回路により前記負荷へ電力を出力する前の期間であって、前記インバータ回路を作動させることなく前記サージ吸収回路を作動させる消磁期間と、前記前記消磁期間の後で、通常時の前記負荷へ供給される周波数に相当する定格周波数にて前記インバータ回路を作動させる前であって、前記定格周波数よりも高い周波数にて前記インバータ回路を作動させるとともに前記サージ吸収回路を作動させる高周波作動期間と、を備えたことを特徴とする。
【発明の効果】
【００１２】
請求項１記載の無停電電源供給器は、商用交流電源と負荷とに接続されるトランスと、停電時にスイッチング素子をオン・オフ駆動してバッテリに蓄えられた直流電力を交流電力に変換し前記トランスを介して前記負荷に電力を供給するインバータ回路と、を設けた無停電電源供給器において、前記スイッチング素子と前記負荷との間には前記トランスに溜まった磁気を消磁するサージ吸収回路を設け、前記インバータ回路により前記負荷へ電力を出力する前の期間であって、前記インバータ回路を作動させることなく前記サージ吸収回路を作動させる消磁期間を備えたので、トランスに溜まった磁気をサージ吸収回路にて積極的に吸収し消磁させた後、電源系統の切換え即ちインバータ出力が行われることになり、電源系統の切換え時のトランスに溜まった磁気を起因とする障害を最小限に抑制することができる。また、前記消磁期間の後で、通常時の前記負荷へ供給される周波数に相当する定格周波数にて前記インバータ回路を作動させる前であって、前記定格周波数よりも高い周波数にて前記インバータ回路を作動させるとともに前記サージ吸収回路を作動させる高周波作動期間を備えたので、トランスに溜まった磁気を消磁させる機会を多くさせながら、負荷への電力の供給を徐々に行うことができる。
【００１３】
請求項２記載の無停電電源供給器は、請求項１記載の無停電電源供給器に加え、前記サージ吸収回路は、前記スイッチング素子がオンしている期間には作動を停止させ、前記スイッチング素子がオフしている期間には作動を行い前記トランスに溜まった磁気を消磁するので、インバータ出力のＯＦＦ期間を有効に利用し、サージ吸収回路を起動させてトランスに溜まった磁気を積極的に効率よく消磁させ、サージの発生や負荷への電力の変換効率の損失を減少させている。
【００１４】
請求項３記載の無停電電源供給器は、商用交流電源と接続されるトランスは、前記商用交流電源と接続される一次巻線と、バッテリに充電するための充電巻線と、スイッチング素子とセンタータップ方式で接続されるインバータ巻線と、負荷に電力を供給する出力巻線とを設け、前記一次巻線と前記商用交流電源との間に接続される逆流防止リレーと、停電時に前記スイッチング素子をオン・オフ駆動して前記バッテリに蓄えられた直流電力を交流電力に変換するインバータ回路とを設け、当該インバータ回路により出力されたインバータ出力にて前記負荷へ電力を供給する無停電電源供給器において、前記スイッチング素子と前記インバータ巻線との間には、前記スイッチング素子がオンしている期間に作動を停止し、前記スイッチング素子がオフしている期間に作動を行い前記トランスに溜まった磁気を消磁するサージ吸収回路を設け、前記逆流防止リレーにより前記一次巻線と前記商用交流電源との間が遮断された後、前記インバータ回路により前記負荷へ電力を出力する前の期間であって、前記インバータ回路を作動させることなく前記サージ吸収回路を作動させる消磁期間と、前記消磁期間の後で、通常時の前記負荷へ供給される周波数に相当する定格周波数にて前記インバータ回路を作動させる前であって、前記定格周波数よりも高い周波数にて前記インバータ回路を作動させるとともに前記サージ吸収回路を作動させる高周波作動期間と、を備えたので、トランスに溜まった磁気をサージ吸収回路にて積極的に吸収し消磁させた後、電源系統の切換え即ちインバータ出力が行われることになり、逆流防止リレーによる電源系統の切換え時にトランスに溜まった磁気を起因とする障害を最小限に抑制することができる。
【００１５】
また、インバータ出力のＯＦＦ期間を有効に利用し、サージ吸収回路を起動させてトランスに生じた磁気を積極的に効率よく消磁させ、サージの発生や負荷への電力の変換効率の損失を減少させている。更に、インバータ巻線とスイッチング素子の間には、サージ吸収回路が接続されているので、磁気が溜まったトランスの直前で、トランスに溜まった磁気を積極的に効率よく消磁させ、切換時に発生する障害を最小限に抑制することが出来るという効果が得られる。
さらに、消磁期間の後で、通常時の負荷へ供給される周波数に相当する定格周波数にてインバータ回路を作動させる前であって、定格周波数よりも高い周波数にてインバータ回路を作動させるとともにサージ吸収回路を作動させる高周波作動期間と、を備えたので、トランスに溜まった磁気を消磁させる機会を多くさせながら、負荷への電力の供給を徐々に行うことができる。
【発明を実施するための最良の形態】
【００１７】
図１に基づいて、本実施形態を以下に説明する。尚、図４に示す従来例と同じ構成要素には同じ符号が付してある。図１は、本実施形態の無停電電源供給器１００の制御回路を示すブロック図である。
商用交流電源１は、交流端子に接続されたリレーＲＹを介してトランス５の一次巻線Ｎ１に接続されている。商用交流電源１は、５０Ｈｚ又は６０Ｈｚの交流１００Ｖが供給可能である。リレーＲＹは、通常時には、接点ａに接続されており、停電時には接点ｂに切り替えられるようになっている。
【００１８】
商用交流電源１と接続されるトランス５には一次巻線Ｎ１と充電巻線Ｎ４が設けられ、負荷２が接続される出力巻線Ｎ２とインバータ巻線Ｎ３が設けられている。トランス５は、負荷２に接続され出力巻線Ｎ２から５０Ｈｚ又は６０Ｈｚの交流６０Ｖ未満の電力が供給される。充電巻線Ｎ４は、充電回路１０を介して蓄電するためのバッテリ１１に接続されている。
【００１９】
そのバッテリ１１は、センタータップ方式のインバータ回路３０を構成するスイッチング素子ＦＥＴ（ＦＥＴ１，ＦＥＴ２）を介してインバータ巻線Ｎ３と接続されている。そして、バッテリ１１の直流電源からＦＥＴ１及びＦＥＴ２によってインバータ出力が生成される。
また、インバータ巻線Ｎ３とスイッチング素子ＦＥＴとの間には、起動回路４０によって駆動されるサージ吸収回路５０が接続されている。
【００２０】
次に、無停電電源供給器１００を統括して制御するインバータ制御回路２０が設けられ、充電回路１０と、インバータ回路３０と、起動回路４０とに接続されている。インバータ制御回路２０は、ＣＰＵが内蔵されており、充電回路１０と、インバータ回路３０と、起動回路４０と、リレーＲＹとを制御している。また、インバータ制御回路２０は、商用交流電源１の周波数や電圧の状態を監視し、停電か否かを判断するための図示しない異常検出部にも接続されている。
【００２１】
また、無停電電源供給器１００は、インバータ制御回路２０に内蔵されるＣＰＵに組み込まれたソフトウエアによって制御されており、後述する待機期間（ｔ１）、消磁期間（ｔ２）、高周波作動期間（ｔ３）及びインバータ出力のＯＮ・ＯＦＦ期間は、ソフトウエアに記憶されタイマー制御されている。そして、これら各期間は、ソフトウエアの変更により変更可能である。
【００２２】
（本実施形態の動作）
以下、本実施形態の動作を図２乃至図３に基づいて説明する。
図２は、本実施形態の無停電電源供給器１００の停電時の動作を示す動作フロー図である。図３は、本実施形態の無停電電源供給器１００の停電時のインバータ出力・サージ吸収回路５０の動作を示す動作シーケンス図である。
【００２３】
〔通常時〕
この無停電電源供給器１００は、通常時には、リレーＲＹが接点ａ側に接続され、商用交流電源１から入力された交流電源ＡＣ１００Ｖ（５０／６０Ｈｚ）を、トランス５の一次巻線Ｎ１と出力巻線Ｎ２との巻数に比して、ＡＣ６０Ｖ未満（５０／６０Ｈｚ）に変換した出力を負荷２に供給している。また、商用交流電源１から入力された交流電源をトランス５の一次巻線Ｎ１と充電巻線Ｎ４との巻数に比した電力に変換し、充電回路１０の制御により直流電源に変換されバッテリ１１に蓄電される。
通常時には、インバータ駆動回路３１は駆動されないため、スイッチング素子ＦＥＴ（ＦＥＴ１，ＦＥＴ２）により作成されるインバータ出力がインバータ巻線Ｎ３に出力されることはない。
【００２４】
〔停電時〕
停電時には、商用交流電源１から電源が入力されなくなるため、インバータ制御回路２０は、電圧低下や周波数異常を検知する。インバータ制御回路２０が、停電であると判断した場合には、図２に示す動作フローに基づき、図３の動作シーケンス図で示す動作が行われる。ここで、図３の動作シーケンスは、横軸に時間の経過を表しており、インバータ出力の軸上はＯＦＦ期間を示す、軸から離れるとＯＮ期間が示され、一般的に言う正負の矩形波で表されたインバータ出力である。また、同様にサージ吸収回路５０の動作の軸上は、サージ吸収回路５０の動作のＯＦＦ期間を表し、軸から離れるとＯＮ期間となり、ハッチングでＯＮ動作を表している。
【００２５】
停電であると判断されると（図３に示すＴの始端）、インバータ制御回路２０の指示により充電回路１０は、バッテリ１１への充電を停止させる（Ｓ１）。インバータ制御回路２０の指示によりリレーＲＹは、商用交流電源１への逆流を防止するため接点ａから接点ｂへの切換が行われる（Ｓ３）。そして、７．５ｍｓの待機期間（図３に示すｔ１）の間、インバータ駆動回路３１は動作することなく、リレーＲＹの確実な切換（Ｓ３に示す切換）を行うために待機される（Ｓ５）。
【００２６】
その後、インバータ制御回路２０の指示により起動回路４０を作動させ（Ｓ７）、２ｍｓの期間（図３に示すｔ２）の間サージ吸収回路５０を強制的に作動させる（Ｓ９）ことで、トランス５に飽和している磁気をサージ吸収回路５０にて吸収し消磁させている。サージ吸収回路５０を強制的に作動させた後、インバータ制御回路２０の指示により起動回路４０の作動を停止させ、サージ吸収回路５０を強制的に停止させている（Ｓ１１）。
図３に示されるｔ１＋ｔ２＝Ｔの期間は、リレーＲＹの確実な切換（Ｓ３に示す切換）を動作を担保するためだけでなく、サージ吸収回路５０を強制的に作動させ、トランス５に溜まった磁気を消磁させている期間（ｔ２）としても有効利用されている。
【００２７】
そして、トランス５に溜まった磁気の吸収を行った後（Ｓ７、Ｓ９、Ｓ１１）、負荷２に電力を供給するために、インバータ制御回路２０の指示によりインバータ駆動回路３１の制御が開始される（Ｓ１３）。このとき、バッテリ１１から得られる直流電源をスイッチング素子ＦＥＴ１及びＦＥＴ２を交互にＯＮ、ＯＦＦと切換作動させることで、インバータ出力が得られる。このインバータ出力がＯＦＦの期間では、インバータ駆動回路３１からの指示により起動回路４０を通じてサージ吸収回路５０を作動させている。こうすることで、トランス５に溜まった磁気を積極的に消磁させ、サージの発生や変換効率の損失を減少させている。
【００２８】
また、４００Ｈｚという負荷２に供給するよりも高い周波数によるインバータ出力を行うこと、即ち高い周波数でサージ吸収回路５０を作動させていることで、トランス５に溜まった磁気を消磁させる機会を多くさせながら、負荷２への電力の供給の準備を行うことが出来るので、トランス５に溜まった磁気を更に効率よく消磁させ、負荷２への過大な電流を最小限に抑制することが出来るという効果が得られる。この４００Ｈｚという高い周波数でのインバータ出力は、負荷２に対して影響のない５０ｍｓ程度の期間（図３に示すｔ３）において行なわれ（Ｓ１５）、この期間を高周波作動期間という。
【００２９】
次に、通常時に商用交流電源１から得られるのと同じ周波数（５０Ｈｚ又は６０Ｈｚ）に変更し、インバータ出力を行い（Ｓ１７）、負荷２への電力の供給が行われ、負荷２は通常時と同様に機器を作動することが出来るようになる（図３に示すｔ４）。そして、停電が復旧し商用交流電源１からの正常な電源の入力をインバータ制御回路２０が検出するまでは、インバータ出力により負荷２へ電力の供給が行われる。このインバータ出力中においても、インバータ駆動回路３１と連動して起動回路４０を通じてインバータ出力のＯＦＦ期間にサージ吸収回路５０を作動させているので、トランス５に溜まった磁気を積極的に消磁させサージの発生や変換効率の損失を減少させている。
【００３０】
（本実施形態の作用及び効果）
以上の本実施形態から把握される作用及び効果を以下に詳述する。
（１）インバータ出力により負荷２へ電力を供給する前の段階、即ちインバータ回路３０が駆動を開始する前に、インバータ制御回路２０の指示により起動回路４０を作動させ（Ｓ７）、２ｍｓの期間（図３に示すｔ２（消磁期間））にサージ吸収回路５０を強制的に作動させる（Ｓ９）ことで、トランス５に溜まった磁気をサージ吸収回路５０にて積極的に吸収し消磁させた後、電源系統の切換え即ちインバータ出力が行われるので、電源系統の切換え時の過大な電流による障害を最小限に抑制することができる。
【００３１】
（２）インバータ出力のＯＦＦ期間に、サージ吸収回路５０を作動させることで、自然にトランス５の磁気を消磁させるよりも効率よく消磁させることができる。
【００３２】
（３）インバータ出力のＯＦＦ期間に、インバータ駆動回路３１からの指示により起動回路４０を通じてサージ吸収回路５０を作動させているので、インバータ出力のＯＦＦ期間を有効に利用することでトランス５に溜まった磁気を効率よく消磁させ、サージの発生や負荷への電力の変換効率の損失を減少させている。
【００３３】
（４）４００Ｈｚという負荷２に供給するよりも高い周波数によるインバータ出力を行うことで、高い周波数でサージ吸収回路５０を作動させているので、トランス５に溜まった磁気を消磁させる機会を多くさせながら、負荷２への電力の供給を準備を徐々に行うことが出来るので、負荷への突入電流が発生し難くなり、トランス５に溜まった磁気を更に効率よく消磁させ、負荷２への過大な電流による障害を最小限に抑制することが出来るという効果が得られる。
【００３４】
（５）図３のｔ３とｔ４の期間の動作に示されるように、サージ吸収回路５０を起動させる起動回路４０をインバータ駆動回路３１の動作と連動させることで、応答遅れが生じることなく、サージ吸収を行うことが出来るので、トランス５に溜まった磁気を更に効率よく消磁させ、負荷２への過大な電流による障害を最小限に抑制することが出来るという効果が得られる。
【００３５】
（６）図３に示されるｔ１＋ｔ２＝Ｔの期間は、リレーＲＹの確実な切換（Ｓ３に示す切換）の動作を担保するためだけでなく、インバータ駆動回路３１の動作を停止し、サージ吸収回路５０を強制的に作動させトランス５に溜まった磁気を消磁させる期間としても有効活用されている。
【００３６】
（７）巻線Ｎ３とスイッチング素子ＦＥＴの間には、起動回路４０によって駆動されるサージ吸収回路５０が接続されているので、磁気が溜まったトランス５の直前で、トランス５に溜まった磁気を効率よく消磁させ、負荷２への過大な電流による障害を最小限に抑制することが出来るという効果が得られる。
【００３７】
（８）無停電電源供給器１００は、インバータ制御回路２０に内蔵されるＣＰＵに組み込まれたソフトウエアによって制御されているので、消磁期間、インバータ出力のＯＮ・ＯＦＦ期間は、特に基板ごと変更する必要が無く、ソフトウエアが記憶されたチップ又は記憶されたソフトの変更を行うだけの容易な作業で変更することができる。
【００３８】
（他の実施形態への変更例）
以上説明した実施形態を他の実施形態へ変更した例を以下に示す。
・以上の本実施形態では、負荷２に６０Ｖ未満を出力するもので説明したが、負荷２は１００Ｖを出力するものであっても良く、特に供給する電圧を限定する必要もない。
【００３９】
・以上の本実施形態では、停電時にインバータ回路３０が駆動するように構成されているが、特に停電だけでなく、商用交流電源１のプラグの外れによる周波数や電圧不足を検知するものであっても良い。
【００４０】
・以上の本実施形態では、期間Ｔは、停電検知と入力電圧の切換が行われる負荷に影響を与えない期間として２０秒以下が適正値とされ、Ｓ１５に表す期間ｔ３は、トランスが消磁期するのに４０ｍｓ〜６０ｍｓが適正値とされる。そして、これら期間Ｔ及びｔ３は、負荷に影響を与えない時間又トランスの消磁に適正な時間を基に設定されているので、負荷又はトランスの容量に合わせて最適な時間を変更することは適宜可能である。
【図面の簡単な説明】
【００４１】
【図１】本実施形態の無停電電源供給器１００の制御回路を示すブロック図である。
【図２】本実施形態の無停電電源供給器１００の停電時の動作を示す動作フロー図である。
【図３】本実施形態の無停電電源供給器１００の停電時のインバータ出力・サージ吸収回路５０の動作を示す動作シーケンス図である。
【図４】従来の無停電電源供給器１００の制御回路を示すブロック図である。
【符号の説明】
【００４２】
１・・・商用交流電源、２・・・負荷、５・・・トランス、
１０・・・充電回路、１１・・・バッテリ、
２０・・・インバータ制御回路、
３０・・・インバータ回路、３１・・・インバータ駆動回路、
４０・・・起動回路、５０・・・サージ吸収回路、１００・・・無停電電源供給器、
ａ，ｂ・・・接点、ＦＥＴ１，ＦＥＴ２・・・スイッチング素子（ＦＥＴ）、
Ｎ１・・・一次巻線、Ｎ２・・・出力巻線、Ｎ３・・・インバータ巻線、
Ｎ４・・・充電巻線、ＲＹ・・・リレー（逆流防止用リレー）。
【図１】
0004605472.tif 000002
【図３】
0004605472.tif 000003
【図４】
0004605472.tif 000004
【図２】
0004605472.tif 000005